(57)【要約】【課題】ＩＣタグ等の情報記憶媒体が設けられた機器において、機器に関する分解情報やリサイクル情報を情報記憶媒体に記憶しておき、情報記憶媒体から分解情報やリサイクル情報を取得して当該機器の分解処理，リサイクル処理を行えるようにする。【解決手段】通信装置２は、機器１に関する分解／リサイクル情報を記憶し且つ機器１に付与された情報記憶媒体（ＩＣタグ）１０と通信するＩＣタグ通信部２３、ＩＣタグ１０から取得した分解／リサイクル情報を表示装置などに出力する出力部２５を備える。前記分解／リサイクル情報は、機器１の分解方法に関する情報と、該分解方法に従って分解された機器１の各部品の材料情報とを含む。ユーザは、前記表示装置に表示された分解／リサイクル情報を見ながら、分解方法に従って機器１を分解し、材料情報に従って機器１の各部品を材料毎に分別し、さらにリサイクル可能な部品を回収する。【選択図】図１
2006215658.tif 000002
【特許請求の範囲】
【請求項１】
情報記憶媒体が設けられた機器において、前記情報記憶媒体は、前記機器に関する分解情報及び／又はリサイクル情報を記憶する記憶手段と、該分解情報及び／又はリサイクル情報を外部と通信するための通信手段とを備えていることを特徴とする機器。
【請求項２】
請求項１に記載の機器において、前記情報記憶媒体は、ＩＣタグであることを特徴とする機器。
【請求項３】
請求項１又は２に記載の機器において、前記分解情報は、前記機器の分解方法に関する情報を含み、前記リサイクル情報は、前記分解情報に従って分解された前記機器の各部品の材料情報を含むことを特徴とする機器。
【請求項４】
請求項１乃至３のいずれか１に記載の機器に設けられた情報記憶媒体と通信可能な通信装置において、前記情報記憶媒体と通信する通信手段と、該情報記憶媒体から分解情報及び／又はリサイクル情報を取得する手段と、該取得した分解情報及び／又はリサイクル情報を出力する出力手段とを備えていることを特徴とする通信装置。
【請求項５】
請求項４に記載の通信装置において、表示装置と接続可能とし、前記出力手段は、前記取得した分解情報及び／又はリサイクル情報を前記表示装置に出力することを特徴とする通信装置。
【発明の詳細な説明】
【技術分野】
【０００１】
本発明は、ＩＣタグ等の情報記憶媒体が設けられた機器及びその情報記憶媒体と通信可能な通信装置に関し、より詳細には、機器に関する分解情報やリサイクル情報を記憶した情報記憶媒体を設けた機器及びその情報記憶媒体と通信可能な通信装置に関する。
【背景技術】
【０００２】
従来、電気製品等の機器の廃棄は、自治体や廃棄処理業者等が機器を回収して廃棄処理を行っている。廃棄処理の方法は、例えば、破砕や焼却などであり、その廃棄処理の過程において一部の材料を分別／リサイクルして再利用するようにしている。
【０００３】
また、特定家庭用機器再商品化法（いわゆる「家電リサイクル法」）により、家電メーカには、家電製品のリサイクル処理が義務付けられている。リサイクル処理を行う場合には、リサイクル処理の対象となる製品を解体（分解）する必要がある。このような家電製品等の分解を効率的に行うために、従来から家電製品に対する様々な分解方法が提案されている。
【０００４】
以下、従来の分解作業の流れを簡単に説明する。まず、専門知識を持つ作業担当者により、リサイクル処理の対象となる製品が識別される。大まかな分解では、対象製品が、筐体、一般的な部品、有害物質を含む特殊な部品に分類される。筐体の部品は、プラスチック、鉄、アルミなどに分類されて破砕処理が施される。一般的な部品は、専門知識を有する作業担当者によって、再利用可能な部品であるか否かが判断され、その判断に応じて処理が施される。特殊な部品は、取り扱いに危険が伴うため、専門知識を持つ作業担当者によって更に分解処理が施される。このようなリサイクル処理における分解作業の殆どは、専門知識を持つ作業担当者と、単純作業を行う作業担当者との手作業により行われている。
【０００５】
上述したように、機器の分解処理においては人手により一台一台機器を分解し、分解した機器の各部品を材料毎に分別してリサイクル可能なものは回収してリサイクルし、リサイクルできないものは廃棄する処理を行う。この際、作業担当者が不慣れな場合などに、機器の分解手順や、各部品をどのように分別すればよいかがわからず、専門知識を持つ熟練者に聞いたり、マニュアルを確認するなどして作業を進めていたため、機器の分解，分別，リサイクルの処理効率が悪いという問題があった。
【０００６】
上記のごとく課題に対して、リサイクル処理などを効率的に行うために、ＩＣタグを利用してリサイクルに必要な情報を取得する方法が開示されている。例えば、特許文献１には、使用済みの自動車用ワイヤハーネスのリサイクルに必要なデータを記憶したＩＣタグを取り付けたワイヤハーネスが開示されている。また、特許文献２には、ＰＣＢなどを含む有害廃棄物にユニークな情報を有するＩＣタグを付することにより、物流管理における誤認混同を防止できるようにしたものが開示されている。
【特許文献１】特開２００２−３１３１６５号公報
【特許文献２】特開２００２−３５６２２９号公報
【発明の開示】
【発明が解決しようとする課題】
【０００７】
しかしながら、上記特許文献１に記載の発明は、ワイヤハーネスのリサイクル情報をＩＣタグに記憶したもので、使用済みの自動車から取り外された状態のワイヤハーネスを対象とし、電気製品等の機器全般を対象としたものではない。また、特許文献２に記載の発明は、ＰＣＢなどを含む有害廃棄物にユニークな情報を有するＩＣタグを付したもので、電気製品等の機器全般を対象として、機器の分解情報やリサイクル情報をＩＣタグに記憶したものではない。
【０００８】
本発明は、上述のごとき実情に鑑みてなされたものであり、ＩＣタグ等の情報記憶媒体が設けられた機器において、機器に関する分解情報やリサイクル情報を情報記憶媒体に記憶しておき、情報記憶媒体から分解情報やリサイクル情報を取得して、これらの情報に従って、機器の分解処理，リサイクル処理などを行えるようにすること、を目的としてなされたものである。
【課題を解決するための手段】
【０００９】
上記課題を解決するために、本発明の第１の技術手段は、情報記憶媒体が設けられた機器において、前記情報記憶媒体は、前記機器に関する分解情報及び／又はリサイクル情報を記憶する記憶手段と、該分解情報及び／又はリサイクル情報を外部と通信するための通信手段とを備えていることを特徴としたものである。
【００１０】
第２の技術手段は、第１の技術手段において、前記情報記憶媒体は、ＩＣタグであることを特徴としたものである。
【００１１】
第３の技術手段は、第１又は第２の技術手段において、前記分解情報は、前記機器の分解方法に関する情報を含み、前記リサイクル情報は、前記分解情報に従って分解された前記機器の各部品の材料情報を含むことを特徴としたものである。
【００１２】
第４の技術手段は、第１乃至第３のいずれか１の技術手段における機器に設けられた情報記憶媒体と通信可能な通信装置において、前記情報記憶媒体と通信する通信手段と、該情報記憶媒体から分解情報及び／又はリサイクル情報を取得する手段と、該取得した分解情報及び／又はリサイクル情報を出力する出力手段とを備えていることを特徴としたものである。
【００１３】
第５の技術手段は、第４の技術手段において、表示装置と接続可能とし、前記出力手段は、前記取得した分解情報及び／又はリサイクル情報を前記表示装置に出力することを特徴としたものである。
【発明の効果】
【００１４】
本発明によれば、ＩＣタグ等の情報記憶媒体から機器の分解処理やリサイクル処理に関する情報を容易に取得することができるため、これらの情報から人手による分解，分別，リサイクル処理などを簡単且つ効率的に行うことができる。
また、機器の分解，分別，リサイクル処理などを自動的に行うシステムと連動させることにより、人手によらずに、上記処理を自動化することができる。
【発明を実施するための最良の形態】
【００１５】
図１は、本発明の一実施形態に係るＩＣタグを利用した分解／リサイクルシステムの構成例を示すブロック図で、図中、１は分解／リサイクルの対象となる電気製品などの機器、２は機器１に設けられた情報記憶媒体１０と通信可能な通信装置を示す。機器１に設けられた情報記憶媒体（以下、ＩＣタグ）１０は、機器１に関する分解及び／又はリサイクル情報（以下、分解／リサイクル情報）を記憶している。尚、機器１は、例えば、テレビジョン装置，ＤＶＤレコーダ，ＶＴＲ，オーディオ機器，エアコンなどの電気製品に限定されず、廃棄時において分解処理を行う機器全般を対象とする。
【００１６】
また、通信装置２は、通信装置２を制御するためのマイクロコンピュータ（以下、マイコン）２１、通信装置２の制御プログラムや各種データなどを記憶するメモリ２２、ＩＣタグ１０と無線を介して通信して機器１の分解／リサイクル情報を取得する（読み取る）ＩＣタグ通信部２３、複数の操作キーを備える操作入力部２４、分解／リサイクル情報を表示装置等に出力する出力部２５を備えている。尚、本例では、通信装置２が１つの機器１のＩＣタグ１０と通信を行う場合について示しているが、機器１は複数あってもよく、この場合、各機器１の分解／リサイクル情報を記憶したＩＣタグ１０を各機器１に付与しておけばよい。これにより、通信装置２を用いて、異なる複数の機器から分解／リサイクル情報を取得することができる。
【００１７】
図２は、ＩＣタグ１０の概略構成例を示すブロック図で、ＩＣタグ１０は、ＲＦ回路１０ａ，制御回路１０ｂ，メモリ１０ｃを備えている。ＩＣタグ１０は、ＲＦＩＤの素子であり、各種データ等を格納可能な小型の記憶媒体である。このＩＣタグ１０は通常電源を備えていないため、通信装置２からの電波を受信して、電磁誘導などの方法で電力を発生させる。
【００１８】
ＲＦ回路１０ａ及びメモリ１０ｃは、各々制御回路１０ｂに接続される。ＲＦ回路１０ａは、図１に示した通信装置２からの電波を受信するためのアナログ回路であり、制御回路１０ｂはＲＦ回路１０ａを介して変調処理及び復調処理するなどのデータ処理を行うデジタル回路である。メモリ１０ｃには、後述の図４に示すように、機器１に関する分解／リサイクル情報が記憶されている。この分解／リサイクル情報は、予めメモリ１０ｃに記憶され、例えば、機器１の分解方法（分解手順），その分解方法に従って分解された機器１の各部品の材料情報，リサイクル可能な部品の情報，有害物質が使用されている部品の情報などを含むものとする。
【００１９】
図３は、通信装置２の概略構成例を示すブロック図で、通信装置２は、マイコン２１，メモリ２２，ＩＣタグ通信部２３，操作入力部２４，出力部２５を備え、機器（本例ではテレビジョン装置）１に付与されたＩＣタグ１０との間で無線を介して通信を行うことができる。ＩＣタグ通信部２３は、送信データに対する所定の変調処理を行う変調回路２３ａ、変調された変調電波をＩＣタグ１０に送信する送信制御部２３ｂ、ＲＦ反応に応じてＩＣタグ１０から返信される分解／リサイクル情報を受信する受信制御部２３ｃ、受信した変調電波に対する所定の復調処理を行う復調回路２３ｄ、ＩＣタグ１０との通信を送信制御部２３ｂ及び受信制御部２３ｃを介して行うためのアンテナ２３ｅから構成されている。
【００２０】
出力部２５は、ＩＣタグ通信部２３により取得した分解／リサイクル情報を、液晶ディスプレイなどの表示装置３や、図示しない印刷装置等に出力する。この出力部２５の出力先は、作業担当者により、操作入力部２４から任意に指定することができる。尚、表示装置３は、通信装置２に内蔵あるいは外部接続のいずれの形態でもよい。
【００２１】
図３において、機器１が廃棄処理のために回収され、廃棄処理されるときに、通信装置２がＩＣタグ１０の分解／リサイクル情報を取得して表示装置３に表示出力させる。ユーザは、表示装置３に表示された分解／リサイクル情報を見ながら、分解手順に従って機器１を部品に分解し、材料情報に従って各部品を使用材料毎に分別し、さらに、リサイクル可能な部品や有害物質を含む部品を分別して回収する。そして、回収後にリサイクル処理、廃棄処理などを行う。
【００２２】
図４は、ＩＣタグ１０に記憶されている分解／リサイクル情報の一例を示す図である。本例に示す分解／リサイクル情報は、分解／リサイクルの対象となる機器を特定するための機器コード，機器の分解方法を含む分解情報，その分解方法により分解された機器の各部品の材料情報を含むリサイクル情報などから構成されている。この分解情報は、例えば、分解手順をはじめ，機器を構成するキャビネットの爪部の形状・大きさ・嵌合位置，ビスの取り付け位置・取り付け本数，配線の整形（通過）位置，金属部分の種類や硬度，プラスチックの材質情報などを含み、リサイクル情報は、例えば、分解後の各部品の材料情報（例えば、プラスチック，塩化ビニール，鉛を含む基板など），リサイクル可能な部品の情報，有害物質が使用されている部品の情報などを含むものとする。
【００２３】
このように、ＩＣタグ等の情報記憶媒体から機器の分解処理やリサイクル処理に関する情報を容易に取得することができるため、これらの情報から人手による分解，分別，リサイクル処理などを簡単且つ効率的に行うことができる。また、作業の担当者が熟練者でなくても、熟練者と同じように作業を進めることができるようになる。
【００２４】
図５は、本発明の他の実施形態に係るＩＣタグを利用した分解／リサイクルシステムの構成例を示すブロック図で、通信装置２は、機器の分解，分別，リサイクル処理などを自動的に行う自動化システム４と接続されている。本実施形態では、機器の分解，分別，リサイクル処理などを自動的に行う自動化システム４と連動して、機器の分解処理などを自動化したものである。この自動化システム４は、機器１の分解処理を行うための各種作業機器（例えば、作業台，ドライバ，カッター，ロボットアーム（マニュピュレータ）など）を備えたロボット型の自動制御システムなどを適用することにより実現される。
【００２５】
図５において、出力部２５から出力される分解／リサイクル情報を自動化システム４に入力する。自動化システム４では、分解手順に従って機器１を分解するように制御され、機器１の分解処理が実行される。また、分解後の部品はその材料情報に基づいて分別処理が実行され、リサイクルの可否情報に基づいてリサイクル可能な部品とそうでない部品とに分別、回収される。さらに、リサイクル可能部品として回収された部品に対して所定のリサイクル処理を行うようにしてもよい。
【００２６】
このように、ＩＣタグ等の情報記憶媒体から機器の分解処理やリサイクル処理に関する情報を容易に取得することができ、さらに、機器の分解，分別，リサイクル処理などを自動的に行うシステムと連動させることにより、人手によらずに、処理を自動化することができる。
【図面の簡単な説明】
【００２７】
【図１】本発明の一実施形態に係るＩＣタグを利用した分解／リサイクルシステムの構成例を示すブロック図である。
【図２】ＩＣタグの概略構成例を示すブロック図である。
【図３】通信装置の概略構成例を示すブロック図である。
【図４】ＩＣタグに記憶されている分解／リサイクル情報の一例を示す図である。
【図５】本発明の他の実施形態に係るＩＣタグを利用した分解／リサイクルシステムの構成例を示すブロック図である。
【符号の説明】
【００２８】
１…機器、２…リモートコントロール装置（通信装置）、３…表示装置、４…自動化システム、１０…情報記憶媒体（ＩＣタグ）、１０ａ…ＲＦ回路、１０ｂ…制御回路、１１…マイクロコンピュータ（マイコン）、１０ｃ，２２…メモリ、２３…ＩＣタグ通信部、２３ａ…変調回路、２３ｂ…送信制御部、２３ｃ…受信制御部、２３ｄ…復調回路、２３ｅ…アンテナ、２４…操作入力部、２５…出力部。
【図１】
2006215658.tif 000003
【図２】
2006215658.tif 000004
【図３】
2006215658.tif 000005
【図４】
2006215658.tif 000006
【図５】
2006215658.tif 000007